(57)【要約】【課題】本発明は電話番号を打ち込む際、「０８０」，「０９０」，「０１２０」などの番号入力を１回のボタン操作で済ませ、入力時間が短縮できる短縮番号ボタン付き携帯電話機を提供することを目的とする。【解決手段】従来と同様な機能を有した携帯電話機に、「０８０」の番号を１回で入力するための０８０ボタン31と、「０９０」の番号を１回で入力するための０９０ボタン32と、「０１２０」の番号を１回で入力するための０１２０ボタン33とから成す短縮番号ボタン３を電話機本体１に設けた構造とする。又、前記短縮番号ボタン３を電話機本体１の最下段部に設けるのが好ましい。【選択図】図１
2012248971.tif 000002
【特許請求の範囲】
【請求項１】
０〜９の番号を入力するための１０個の番号ボタン（２）と、＊印や♯印の機能ボタン（４）と、画面を有する表示部（５）と、を少なくとも電話機本体（１）に備えた携帯電話機に於いて、「０８０」の番号を１回で入力するための０８０ボタン（31）と、「０９０」の番号を１回で入力するための０９０ボタン（32）と、「０１２０」の番号を１回で入力するための０１２０ボタン（33）とから成す短縮番号ボタン（３）が前記電話機本体（１）に設けられたことを特徴とする短縮番号ボタン付き携帯電話機。
【請求項２】
前記短縮番号ボタン（３）が前記電話機本体（１）の最下段部に設けられた請求項１記載の短縮番号ボタン付き携帯電話機。
【発明の詳細な説明】
【技術分野】
【０００１】
本発明は電話番号を打ち込む際、ボタン操作の回数を減少化出来る短縮番号ボタン付き携帯電話機に関する。
【背景技術】
【０００２】
従来の携帯電話機は多機能化が進んでいるため、キー操作の誤操作や混乱を招く恐れがあった。このため、ワンタッチ短縮ボタンを用いて、複雑な操作を避け、多機能による利用者の負担軽減を図るものとして、特開２００１−９５０５１で短縮機能付携帯電話機が提案されている。これは、通常処理と短縮処理、及び短縮メモリ登録と短縮実行を切り分けるワンタッチ短縮ボタンと、該ワンタッチ短縮ボタンによりメモリ登録が選択されたとき入力操作部からのキーイベントに対応したキーコードをメモリに登録する手段と、ワンタッチ短縮ボタンにより短縮実行が選択された時のメモリの登録を実行する手段とを備えたものであった。
【０００３】
しかしながら特開２００１−９５０５１の携帯電話機で、短縮番号を用いて通話する場合及び一般の電話機で短縮ダイヤルを用いて通話する場合には、短縮番号に特定の電話番号を登録しなければ使用できず、且つ、その短縮番号は特定の電話番号専用ボタンとなっていた。従って、通常操作で通話する場合には、相手先の携帯電話機の電話番号を打ち込む前に、「０８０」，「０９０」，「０１２０」などの番号入力をする必要があるため、ボダンを打ち込む回数が多く、タイヤル操作の打ち込み間違いが生じ易いものとなっていた。
【先行技術文献】
【特許文献】
【０００４】
【特許文献１】特開２００１−９５０５１号公報
【発明の概要】
【発明が解決しようとする課題】
【０００５】
本発明は電話番号を打ち込む際、「０８０」，「０９０」，「０１２０」などの番号入力を１回のボタン操作で済ませ、入力時間が短縮できる短縮番号ボタン付き携帯電話機を提供することを目的とする。
【課題を解決するための手段】
【０００６】
上記現状に鑑み本発明は成されたものであり、つまり、従来の携帯電話機に、「０８０」の番号を１回で入力するための０８０ボタンと、「０９０」の番号を１回で入力するための０９０ボタンと、「０１２０」の番号を１回で入力するための０１２０ボタンとから成す短縮番号ボタンを電話機本体に設けた構造とする。又、前記短縮番号ボタンを電話機本体の最下段部に設けるのが好ましい。
【発明の効果】
【０００７】
請求項１のように従来と同様な機能を有した携帯電話機に、「０８０」の番号を１回で入力するための０８０ボタン（31）と、「０９０」の番号を１回で入力するための０９０ボタン（32）と、「０１２０」の番号を１回で入力するための０１２０ボタン（33）とから成す短縮番号ボタン（３）が電話機本体（１）に設けられることにより、ボタン操作の回数が毎回減少するものとなるため、多くの電話をかける場合には、入力時間の短縮となると共に指の負担が減少するものとなる。更にボタン操作の回数が減少することで、打ち間違いも減少するものとなる。
【０００８】
請求項２のように短縮番号ボタン（３）を電話機本体（１）の最下段部に設けることにより、番号ボタン（２）や機能ボタン（４）と区別でき、短縮番号ボタン（３）が見易い位置となるため、打ち込み易いものとなる。しかも従来品に対して、短縮番号ボタン（３）の追加がし易い配置となる。
【図面の簡単な説明】
【０００９】
【図１】本発明の実施形態を示す説明図である。
【図２】本実施形態の要部構成を示すブロック図である。
【発明を実施するための形態】
【００１０】
本発明の実施形態を図１、図２に基づいて説明する。（１)は一般的な携帯電話機の電話機本体であり、該電話機本体（１）は折畳み式でも折畳めないものでも良い。（２）は０〜９の番号を入力するための１０個の番号ボタンであり、該番号ボタン（２）としては従来のものと同一のものを用いれば良い。尚、前記番号ボタン（２）はダイヤルボタンなどと呼ばれている。
【００１１】
（３）は電話機本体（１）の表面の最下段に設けられた３個の短縮番号ボタンであり、該短縮番号ボタン（３）には、「０８０」の番号を１回で入力するための０８０ボタン（31）と、「０９０」の番号を１回で入力するための０９０ボタン（32）と、「０１２０」の番号を１回で入力するための０１２０ボタン（33）とがある。この短縮番号ボタン（３）は後述する中央演算部（６）や記憶部（８）と接続されている。この時の番号短縮機構としては、電卓用計算機に用いられている「００」ボタンなどと同様な機能をするためのプログラムソフトを起動させる機構とするのが良いが、他の機構としても良い。この機構は公知であるので詳細な説明は省略する。
【００１２】
（４）は＊印や♯印などの機能ボタンであり、該機能ボタン（４）の＊印は必ずしもこの印に限定されるものではなく、類似のものでも良い。尚、前記機能ボタン（４）としは、＊印や♯印以外に他のものを追加しても良い。例えば、従来の電話短縮機能のためのボタン，選択ボタン，登録ボタン，保留ボタン，変換ボタンなど設けておくと良い。
【００１３】
（５）は液晶画面を有する表示部であり、該表示部（５）としては一般の携帯電話機に備えられたものと同様な構造のものを用いれば良い。尚、前記表示部（５）は液晶画面に限定されるものではない。
【００１４】
（６）は電話機本体（１）の内部に備えた中央演算部であり、（７）は電話機本体（１）の内部に備えたボタン操作機構であり、（８）は電話機本体（１）の内部に備えた記憶部である。前記中央演算部（６）とボタン操作機構（７）及び記憶部（８）としては、一般の携帯電話機に備えられたものと同様のもの及び同様の性能が備えられたものを用いれば良い。又、前記記憶部（８）には各ボタンからの入力に従って電話番号と短縮番号とを関連付けて記憶するプログラムや、各ボタンからの入力に対応して所定機能を実行するプログラムなどが格納されている。
【００１５】
次に本発明の携帯電話機で通話する場合について説明する。先ず始めに相手先の携帯電話機の電話番号を確認し、短縮番号ボタン（３）を押す。そして相手先の残りの番号（本来の電話番号）を打ち込めば良い。この時、短縮番号ボタン（３）を使用することにより、３回或いは４回行われていたボタン操作回数が１回で済むものとなるため、通話毎のボタン操作回数は２回〜３回減らすことが出来るものとなるのである。
【００１６】
その後、通常通りの会話を携帯電話機で行えば良い。このように本発明により、ボタン操作の回数が毎回減少するものとなるため、営業担当者などのように１日に多くの電話をかけなければならない人が、本発明品を用いれば、入力時間が短縮出来ると共に指の負担が少なく、それによる指の疲労が減少し、更にボタン操作の打ち込み間違いも減少するものとなるのである。
【符号の説明】
【００１７】
１  電話機本体
２  番号ボタン
３  短縮番号ボタン
31  ０８０ボタン
32  ０９０ボタン
33  ０１２０ボタン
４  機能ボタン
５  表示部
【図１】
2012248971.tif 000003
【図２】
2012248971.tif 000004